(57)【要約】【課題】使用者が外部において画像データを回転させる処理を行わなくても、使用者に見やすい方向に画像データを表示可能にすることを目的とする。【解決手段】本発明に係る携帯電話機は、カメラ７と、天地方向を検出する加速度センサ１１と、記憶部１０とを備える。そして、カメラ７で撮影された画像データに対し、その撮影時に加速度センサ１１で検出された天地方向と、携帯電話機本体の上下方向との回転角度に応じて画像データを回転する処理を施し、その処理後の画像データを記憶部１０に記憶する制御を行う制御部３を備える。【選択図】図１
2008304966.tif 000002
【特許請求の範囲】
【請求項１】
撮影装置と、
天地方向を検出する方向検出器と、
記憶部と、
前記撮影装置で撮影された画像データに対し、当該撮影時に前記方向検出器で検出された前記天地方向と、機器本体の上下方向との回転角度に応じて前記画像データを回転する処理を施し、当該処理後の前記画像データを前記記憶部に記憶する制御を行う制御部とを備える、
携帯機器。
【請求項２】
前記記憶部に記憶された前記画像データを外部に与えるインターフェースをさらに備える、
請求項１に記載の携帯機器。
【請求項３】
表示部をさらに備え、
前記制御部は、
前記記憶部に記憶された前記画像データの画像全体を、前記表示部の表示領域に合わせて縮小して表示する制御を行う、
請求項１または請求項２に記載の携帯機器。
【請求項４】
表示部をさらに備え、
前記制御部は、
前記記憶部に記憶された前記画像データの画像の一部を、前記表示部の表示領域に等倍で表示する制御を行う、
請求項１または請求項２に記載の携帯機器。
【請求項５】
前記制御部は、
前記一部の画像をスクロールして画像全体を表示する制御を行う、
請求項４に記載の携帯機器。
【請求項６】
前記制御部は、
前記表示部で前記画像データを表示する時に前記方向検出器で検出された前記天地方向と、前記機器本体の上下方向との回転角度に応じて、前記記憶部に記憶された前記画像データを回転する処理を施し、当該処理後の前記画像データを、前記表示部で表示される前記画像データとして用いる、
請求項３乃至請求項５のいずれかに記載の携帯機器。
【請求項７】
表示部と、
天地方向を検出する方向検出器と、
前記表示部に表示すべき画像データが記憶された記憶部と、
前記表示部で前記画像データを表示する時に前記方向検出器で検出された前記天地方向と、機器本体の上下方向との回転角度に応じて、前記記憶部に記憶された前記画像データを回転する処理を施し、当該処理後の前記画像データを前記表示部で表示する制御を行う制御部とを備える、
携帯機器。
【請求項８】
前記方向検出器は、
加速度センサを含む、
請求項１乃至請求項７のいずれかに記載の携帯機器。
【発明の詳細な説明】
【技術分野】
【０００１】
本発明は、撮影した画像を表示または他の端末へ転送する携帯電話機などの携帯機器に関するものである。
【背景技術】
【０００２】
特許文献１に記載された携帯機器は、表示部が向けられた方向を方向検出器で検出する。そして、表示時に方向検出器で検出する方向と、記憶部に記憶された表示方向に基づいて、画像データを回転し、その画像データを表示部に表示する制御を行う。これにより、携帯機器を縦持ちしたか、横持ちしたかに関わらず、使用者に見やすい方向に画像を表示することができる。
【０００３】
【特許文献１】特開２００５−３２１５１６号公報
【発明の開示】
【発明が解決しようとする課題】
【０００４】
しかしながら、従来の携帯機器では、携帯機器を横持ちしたか、縦持ちしたかに関わらず、記憶部に記憶される画像データの上下方向は、一般的に携帯機器の上下方向に固定されていた。そのため、携帯機器で撮影した画像データを、外部、例えば、パーソナルコンピュータに送信し、そのパーソナルコンピュータにおいて画像データを表示した場合には、使用者に見やすい方向に画像データが向いていない場合があった。その結果、使用者がパーソナルコンピュータ側で画像編集アプリケーションを用いて、使用者に見やすい方向に画像データを回転させる必要があるという問題があった。
【０００５】
本発明は、上記のような問題点を解決するためになされたものであり、使用者がパーソナルコンピュータにおいて画像データを回転させる処理を行わなくても、使用者に見やすい方向に画像データを表示可能にすることを目的とする。
【課題を解決するための手段】
【０００６】
請求項１に係る携帯機器は、撮影装置と、天地方向を検出する方向検出器と、記憶部とを備える。そして、前記撮影装置で撮影された画像データに対し、当該撮影時に前記方向検出器で検出された前記天地方向と、機器本体の上下方向との回転角度に応じて前記画像データを回転する処理を施し、当該処理後の前記画像データを前記記憶部に記憶する制御を行う制御部を備える。
【発明の効果】
【０００７】
本発明の携帯機器によれば、使用者が外部において画像データを回転させる処理を行わなくても、使用者に見やすい方向に画像データを表示することができる。
【発明を実施するための最良の形態】
【０００８】
＜実施の形態１＞
本発明に係る携帯機器は、携帯電話機であるものとして以下説明する。本実施の形態に係る携帯電話機を図１のブロック図に示す。図１に示すように、本実施の形態に係る携帯電話機は、無線部２と、制御部３と、レシーバ４と、マイク５と、操作部６と、カメラ７と、表示部８と、揮発メモリ９と、記憶部１０と、加速度センサ１１とを備える。
【０００９】
無線部２は、図示しないアンテナを介し、通信回線１から音声信号を送受信する装置である。この無線部２で受信された音声信号は、制御部３に出力される。制御部３は、携帯電話機の主な機能動作を制御する。この制御部３は、通信回線１から入力された音声信号に応じて、レシーバ４において音声を外部に出力する制御を行う。一方、マイク５に入力された音声は、制御部３の制御により、音声信号に変換される。この変換された音声信号は、無線部２、および、上述したアンテナを介して通信回線１に出力される。
【００１０】
＜記憶時に回転制御＞
操作部６には、外部、例えば、使用者から様々な指示が入力される。操作部６に、カメラ７の起動指示が入力されると、制御部３は、撮影装置であるカメラ７を起動し、カメラ７から入力されている画像データを、表示部８に表示する制御を行う。
【００１１】
図２は、本実施の形態に係る携帯電話機のカメラ７から入力されている画像データを、表示部８に表示している様子を示す図である。図に示す携帯電話機は、筐体からなり、図１のブロック図で示した構成のほとんどを筐体内部に備え、一部を筐体表面に備える。本実施の形態に係る携帯電話機は、表示部８を設けた面と反対側の面に、図２では示されないカメラ７が設けられている。この図の下方向は、重力方向であり、以下で説明する図においても同じであるものとする。
【００１２】
操作部６に、撮影指示が入力されると、制御部３は、カメラ７から入力された画像データを、揮発メモリ９に一時的に記憶する制御を行う。それとともに、制御部３は、揮発メモリ９に一時的に記憶した画像データを、表示部８に表示する制御を行う。
【００１３】
方向検出器は、天地方向を検出する。本実施の形態では、方向検出器は加速度センサ１１であり、天地方向は重力方向である。制御部３は、カメラ７から入力された画像データを揮発メモリ９に記憶するときに、加速度センサ１１が検出した重力方向も、揮発メモリ９に一時的に記憶する制御を行う。
【００１４】
操作部６に、保存指示が入力されると、制御部３は、揮発メモリ９に一時的に記憶した画像データに対し、揮発メモリ９に記憶された重力方向と携帯電話機本体の下方向との回転角度に応じて画像データを回転する処理を施す。ここで、本実施の形態では、携帯電話機本体の上下方向は、携帯電話機の長手方向であるものとする。また、本実施の形態では、揮発メモリ９に記憶された重力方向に対して、携帯電話機本体の下方向がずれている回転角度だけ、画像データを回転する処理を施すものとする。
【００１５】
このように、制御部３は、カメラ７で撮影された画像データに対し、その撮影時に加速度センサ１１で検出された重力方向と、携帯電話機本体の上下方向との回転角度に応じて画像データを回転する処理を施す。そして、制御部３は、その処理後の画像データを記憶部１０に記憶する制御を行う。
【００１６】
また、本実施の形態に係る携帯電話機は、外部メモリ１２と着脱可能である。制御部３は、揮発メモリ９または記憶部１０に記憶されたデータを、外部メモリ１２に書き込む制御が可能であるとともに、外部メモリ１２内のデータを読み込む制御も可能である。この外部メモリ１２には、例えば、メモリカード、および、メモリカードスロットが該当する。
【００１７】
ここで、図３、図４を用いて、従来の携帯電話機のカメラ撮影時の動作と、以上の構成からなる本実施の形態に係る携帯電話機のカメラ撮影時の動作との差異について説明する。まず、図３を用いて、従来の携帯電話機のカメラ撮影時の動作ついて説明する。図３（ｂ）と図３（ｅ）は、カメラ７の起動時に表示部８に表示される画像データを示したものであり、図３（ｃ）と図３（ｆ）は、記憶部１０に記憶される画像データを示したものである。従来の携帯電話機では、一般的に、携帯電話機を横持ちしたか、縦持ちしたかに関わらず、記憶部１０に記憶される画像データの下方向は、携帯電話機の下方向に固定されていた。
【００１８】
例えば、使用者が、カメラ７の起動中に、図３（ａ）のように携帯電話機を縦持ちして、図２の被写体にカメラ７を向けると、携帯電話機は、図３（ｂ）のように画像データを表示部８に表示する。この状態では、携帯電話機本体の下方向は、図３（ｂ）の下方向となる。この状態で保存指示が入力されると、制御部３は、図３（ｃ）に示すように、図３（ｂ）の下方向を、画像データの下方向として画像データを記憶部１０に記憶する。
【００１９】
一方、使用者が、カメラ７の起動中に、図３（ｄ）のように携帯電話機を横持ちして、図２の被写体にカメラ７を向けると、携帯電話機は、図３（ｅ）のように画像データを表示部８に表示する。この状態では、携帯電話機本体の下方向は、図３（ｅ）の左方向となる。この状態で保存指示が入力されると、制御部３は、図３（ｆ）に示すように、図３（ｅ）の左方向を、画像データの下方向として画像データを記憶部１０に記憶する。
【００２０】
従来の携帯電話機では、記憶部１０に記憶した画像データを、表示部８に表示する場合には、記憶部１０に記憶した画像データの状態のままで表示される。そのため、図３（ｆ）の状態で画像データが記憶部１０に記憶されている場合には、使用者は、見やすい方向に画像データを回転させる作業をしなければならなかった。
【００２１】
次に、図４を用いて、本実施の形態に係る携帯電話機のカメラ撮影時の動作について説明する。図４（ｂ）と図４（ｅ）は、カメラ７の起動中に表示部８に表示される画像データを示したものであり、図４（ｃ）と図４（ｆ）は、記憶部１０に記憶される画像データを示したものである。
【００２２】
例えば、使用者が、カメラ７の起動中に、図４（ａ）のように携帯電話機を縦持ちして、図２の被写体にカメラ７を向けると、携帯電話機は、図４（ｂ）のように画像データを表示部８に表示する。この状態で上述の撮影指示および保存指示が入力されると、制御部３は、加速度センサ１１で重力方向を検出する。この状態では、携帯電話機本体の下方向と、重力方向が一致している。そのため、この状態で操作部６に上述した撮影指示および保存指示が入力されると、制御部３は、図４（ｃ）に示すように、画像データをそのまま記憶部１０に記憶する。
【００２３】
一方、使用者が、カメラ７の起動中に、図４（ｄ）のように携帯電話機を横持ちして、図２の被写体にカメラ７を向けると、携帯電話機は、図４（ｅ）のように画像データを表示部８に表示する。この状態で上述の撮影指示および保存指示が入力されると、制御部３は、加速度センサ１１で重力方向を検出する。この状態では、重力方向に対して、携帯電話機本体の下方向は、時計回りに９０度ずれている。そのため、この状態で操作部６に上述した撮影指示および保存指示が入力されると、制御部３は、図４（ｅ）に示した画像データを、時計回りに９０度回転する処理を施し、その処理を施した画像データを記憶部１０に記憶する。
【００２４】
その結果、本実施の形態に係る携帯電話機では、図３（ｆ）に示した画像データを時計回りに９０度回転した図４（ｆ）の状態で画像データを記憶部１０に記憶する。このように記憶部１０に記憶された画像データを表示部８に表示すると、図４（ｆ）の状態で画像データが表示部８に表示されるため、画像データを回転させる作業をすることなく、使用者に見やすい方向に画像データを表示させることができる。
【００２５】
図５は、以上の構成からなる本実施の形態に係る携帯電話機の動作を示すフローチャートである。以下、この図５に従い、本実施の形態に係る携帯電話機の動作について説明する。
【００２６】
まず、使用者が操作部６を操作して、操作部６からカメラ７の起動指示を入力すると、制御部３は、カメラ７を起動し、カメラ７から入力されている画像のデータを、表示部８に表示する制御を行う（ステップ１−１）。
【００２７】
次に、操作部６において入力された指示が、撮影指示か撮影終了指示かを判定する（ステップ１−２）。ステップ１−２で、撮影終了指示が入力されたと判定した場合には、制御部３は、カメラ７の起動を終了する。
【００２８】
一方、ステップ１−２で、撮影指示が入力されたと判定した場合には、制御部３は、カメラ７から入力された画像データを、揮発メモリ９に一時的に記憶する制御を行う。それとともに、制御部３は、加速度センサ１１が検出した重力方向も、揮発メモリ９に一時的に記憶する制御を行う。さらに、制御部３は、揮発メモリ９に一時的に記憶した画像データを、表示部８に表示する制御を行う（ステップ１−３）。
【００２９】
ここで、図６に示すように、携帯電話機の方向を様々に変更させながら、図２で示した被写体をカメラ７により撮影した場合について説明する。この図において、携帯電話機の下方向は、重力方向に対して、図６（ａ）では０度、図６（ｂ）では時計回りに９０度、図６（ｃ）では反時計回りに９０度、図６（ｄ）では時計回りに１８０度だけ回転角度がずれている。
【００３０】
図７は、図６において画像データを入力し、画像データを揮発メモリ９に一時的に記憶した場合の図であり、図７（ａ）〜（ｄ）は、図６（ａ）〜（ｄ）それぞれに対応させている。この時点では、画像データを回転する制御を行っていないため、携帯電話機の下方向と、画像データの下方向とが一致した状態で、画像データは揮発メモリ９に記憶される。
【００３１】
次に、操作部６において入力された指示が、保存指示か保存破棄指示かを判定する（ステップ１−４）。ここでは、使用者によって、表示部８に表示されている画像データを確認しながら操作部６が操作され、操作部６から保存指示か保存破棄指示のいずれかが入力される。
【００３２】
ステップ１−４で、保存破棄指示が入力されたと判定した場合には、制御部３は、揮発メモリ９に一時記憶させた画像データ、および、重力方向を削除する（ステップ１−５）。そして、カメラ７から入力している画像データを再び表示部８に表示（プレビュー）させて、ステップ１−２に戻る。
【００３３】
ステップ１−４で、保存指示が入力されたと判定した場合には、制御部３は、揮発メモリ９に一時的に記憶した画像データに対し、加速度センサ１１で検出された重力方向と携帯電話機本体の下方向との回転角度に応じて画像データを回転する処理を施す（ステップ１−６）。上述したように、本実施の形態では、重力方向に対して、携帯電話機本体の下方向がずれている回転角度だけ、画像データを回転する処理を施すものとする。
【００３４】
図８は、図７において揮発メモリ９に一時的に記憶された画像データに回転する処理を施した場合の図であり、図８（ａ）〜（ｄ）それぞれを、図７（ａ）〜７（ｄ）それぞれに対応させて示している。
【００３５】
図６（ａ）では、携帯電話機本体の下方向は、重力方向に対してずれていない。そのため、制御部３は、揮発メモリ９に一時的に記憶された図７（ａ）の画像データを回転する処理は施さない。そうすると、画像データの方向は、図８（ａ）に示す方向となる。
【００３６】
図６（ｂ）では、携帯電話機本体の下方向は、重力方向に対して時計回りに９０度ずれている。そのため、制御部３は、揮発メモリ９に一時的に記憶された図７（ｂ）の画像データを、時計回りに９０度回転する処理を施す。そうすると、処理後の画像データは、図８（ｂ）に示す画像データとなる。
【００３７】
図６（ｃ）では、携帯電話機本体の下方向は、重力方向に対して反時計回りに９０度ずれている。そのため、制御部３は、揮発メモリ９に一時的に記憶された図７（ｃ）の画像データを、反時計回りに９０度回転する処理を施す。そうすると、処理後の画像データは、図８（ｃ）に示す画像データとなる。
【００３８】
図６（ｄ）では、携帯電話機本体の下方向は、重力方向に対して時計回りに１８０度ずれている。そのため、制御部３は、揮発メモリ９に一時的に記憶された図７（ｄ）の画像データを、時計回りに１８０度回転する処理を施す。そうすると、処理後の画像データは、図８（ｄ）に示す画像データとなる。
【００３９】
次に、制御部３は、ステップ１−６の処理後の画像データ、つまり、図８に示す画像データを記憶部１０に記憶する制御を行う（ステップ１−７）。そして、カメラ７から入力している画像データを再び表示部８に表示（プレビュー）させて、ステップ１−２に戻る。
【００４０】
以上の動作を行う本実施の形態に係る携帯電話機によれば、画像データは、図８に示す方向に記憶部１０に記憶される。そのため、例えば、記憶部１０に記憶された画像データの下方向を、表示部８の下方向に合わせていれば、使用者が画像データを回転する処理を施すことなく、使用者に見やすい方向に画像データを表示することができる。
【００４１】
なお、以上の構成では、回転する処理を施した画像データを記憶部１０に記憶したものとして説明したが、記憶部１０の代わりに外部メモリ１２を用いても、上述と同様の動作を行えば、上述と同じ効果を得ることができる。
【００４２】
また、以上の構成では、画像データは、静止画の画像データであるものとして説明した。しかし、これに限ったものではなく、動画のフレームごとに回転する処理を施して保存することにより、静止画と同様に適用することができる。
【００４３】
また、以上の構成では、記憶部１０に記憶するときに画像データを回転する処理を施すものとした。ここで、携帯電話機の方向を様々に変更させながら、例えば、図８（ａ）に示される縦長の画像データを表示部８に表示すると、図９のように表示される。この図では、携帯電話機の下方向は、重力方向に対して、図９（ａ）では０度、図９（ｂ）では時計回りに９０度、図９（ｃ）では反時計回りに９０度、図９（ｄ）では時計回りに１８０度だけ回転角度がずれている。
【００４４】
図９（ａ）の場合は、使用者に見やすい方向に画像データは表示されているが、図９（ｂ）〜（ｄ）の場合には、使用者に見やすい方向に画像データは表示されていない。そこで、上述の動作に加え、表示部８に表示するときに画像データを回転する処理を施す動作をさらに行ってもよい。以下、その動作を行う構成について説明する。
【００４５】
＜表示時に回転制御＞
操作部６に、一覧表示指示が入力されると、制御部３は、記憶部１０に記憶された複数の画像データを表示部８に表示する制御を行う。ここで、使用者により、表示部８に表示された複数の画像データのうち一の画像データが選択され、その画像データを表示する指示（以下、選択指示）が、操作部６に入力される。
【００４６】
そして、操作部６に、選択指示が入力されると、制御部３は、記憶部１０に記憶された画像データのうち、選択された画像データを読み出す。そして、制御部３は、表示部８で画像データを表示する時に加速度センサ１１により重力方向を検出する制御を行う。それから、制御部３は、携帯電話機本体の下方向に対して、加速度センサ１１で検出している重力方向がずれている回転角度だけ、読み出された画像データを回転する処理を施すものとする。
【００４７】
このように、制御部３は、表示部８で画像データを表示する時に加速度センサ１１で検出している重力方向と、携帯電話機本体の上下方向との回転角度に応じて、記憶部１０に記憶された画像データを回転する処理を施す。そして、制御部３は、その処理後の画像データを表示部８で表示される画像データとして用いる。
【００４８】
図１０は、以上の構成からなる本実施の形態に係る携帯電話機の動作を示すフローチャートである。以下、この図１０に従い、本実施の形態に係る携帯電話機の動作について説明する。
【００４９】
まず、操作部６に一覧表示指示が入力されると、制御部３は、記憶部１０に記憶された複数の画像データを表示部８に表示する制御を行う（ステップ２−１）。
【００５０】
次に、操作部６において入力された指示が、選択指示か選択終了指示かを判定する（ステップ２−２）。ステップ２−２で、表示終了指示が入力されたと判定した場合には、制御部３は、表示部８における画像表示処理を終了する。
【００５１】
ステップ２−２で、選択指示が入力されたと判定した場合には、制御部３は、記憶部１０に記憶された画像データのうち、選択された画像データを読み出す（ステップ２−３）。そして、制御部３は、加速度センサ１１により重力方向を検出する制御を行う（ステップ２−４）。
【００５２】
それから、制御部３は、携帯電話機本体の下方向に対して、ステップ２−４で検出される重力方向がずれている回転角度だけ、ステップ２−３で読み出した画像データを回転する処理を施す（ステップ２−５）。ここで、仮に加速度センサ１１が、重力方向を検出しなかった場合には、ステップ２−３で読み出した画像データを回転する処理は施さないものとする。
【００５３】
図１１は、加速度センサ１１において重力方向を検出し、画像データを回転する処理を施した場合の図である。図１１（ａ）〜（ｄ）は、表示時において、画像データに回転する処理を施していない図９と対応させて示したものである。以下、図９と図１１とを対応させて説明する。
【００５４】
図９（ａ）では、加速度センサ１１で検出されている重力方向は、携帯電話機本体の下方向に対してずれていない。そのため、制御部３は、ステップ２−３で読み出した画像データを回転する処理は施さない。そうすると、処理後の画像データは、図１１（ａ）に示す画像データとなる。
【００５５】
図９（ｂ）では、加速度センサ１１で検出されている重力方向は、携帯電話機本体の下方向に対して反時計回りに９０度ずれている。そのため、制御部３は、ステップ２−３で読み出した画像データを、反時計回りに９０度回転する処理を施す。そうすると、処理後の画像データは、図１１（ｂ）に示す画像データとなる。
【００５６】
図９（ｃ）では、加速度センサ１１で検出されている重力方向は、携帯電話機本体の下方向に対して時計回りに９０度ずれている。そのため、制御部３は、ステップ２−３で読み出した画像データを、時計回りに９０度回転する処理を施す。そうすると、処理後の画像データは、図１１（ｃ）に示す画像データとなる。
【００５７】
図９（ｄ）では、加速度センサ１１で検出されている重力方向は、携帯電話機本体の下方向に対して反時計回りに１８０度ずれている。そのため、制御部３は、ステップ２−３で読み出した画像データを、反時計回りに１８０度回転する処理を施す。そうすると、処理後の画像データは、図１１（ｄ）に示す画像データとなる。
【００５８】
次に、制御部３は、ステップ２−５の処理後の画像データを、図１１に示すように、表示部８で表示される画像データとして用いる（ステップ２−６）。
【００５９】
そして、操作部６に、表示終了指示が入力されたか否かを判定する（ステップ２−７）。ステップ２−７で、表示終了指示が入力されたと判定した場合には、制御部３は、表示部８における画像表示処理を終了する。
【００６０】
ステップ２−８で、表示終了指示が入力されていない場合には、ステップ２−４に定期的に戻って、制御部３は、加速度センサ１１により重力方向を検出する制御を行い、画像データを回転する処理を施す。こうして、ステップ２−４からステップ２−７までの動作を定期的に繰り返して行い、表示部８で表示される画像データを繰り返して自動更新する。なお、加速度センサ１１が検出した重力方向と、先に加速度センサ１１が検出した重力方向とが一致している場合には、先に表示した画像データをそのまま表示部８に表示するようにすれば、ちらつきを防止させることができる。
【００６１】
以上の動作を行う本実施の形態に係る携帯電話機によれば、図１１に示すように、携帯電話機をどの方向に傾けていたとしても、使用者が画像データを回転する処理を施すことなく、使用者に見やすい方向に画像データを常に表示することができる。次の画像や、前の画像の表示を続けて同様の制御を行うことにより、特殊な操作を行わなくても、同様の効果を得ることができる。
【００６２】
なお、以上の構成では、記憶部１０に画像データを記憶するとき、および、表示部８に画像データを表示するときの両方において画像データを回転する処理を行った。しかし、これに限ったものではなく、記憶部１０に画像データを記憶するとき、または、表示部８に画像データを表示するときのいずれか一方においてのみ、画像データを回転する処理を行うものとしても、それぞれ上述と同様の効果を得ることができる。なお、表示部８に画像データを表示するときにおいてのみ、画像データを回転する処理を行うものについては後述する。
【００６３】
また、以上の構成では、一覧表示指示が入力されたときに、複数の画像データを表示部８に表示した。これらの複数の画像データに対しても、上述と同様に、表示部８に表示するときに画像データを回転する制御を行えば、一覧表示時でも使用者に見やすい方向に画像データを常に表示することが可能となる。
【００６４】
また、以上の構成では、記憶画像が図８（ａ）の状態、つまり、画像データが縦長である場合について、表示時に回転制御する動作を説明した。しかし、これに限ったものではなく、記憶画像が図８（ｂ）の状態、つまり、画像データが横長である場合も同様にすればよい。この場合も上述と同じようにすれば、図１２に示すように、携帯電話機をどの方向に傾けていたとしても、使用者が画像データを回転する処理を施すことなく、使用者に見やすい方向に画像データを常に表示することができる。
【００６５】
なお、図１２（ａ）の場合、表示部８の表示領域が縦長であるのに対して、画像データは横長である。この場合、画像データの画像全体を表示部８の表示領域に表示することができない。
【００６６】
そこで、以上の構成に加え、本実施の形態では、制御部３は、記憶部１０に記憶された画像データの画像全体を、表示部８の表示領域にあわせて縮小する表示を行う。図１２（ａ）の場合、画像データの横幅が、表示部８の表示領域の横幅と一致するように画像データ全体を縮小する。このようにすると、図１３（ａ）に示されるように、画像データの画像は表示部８に表示される。
【００６７】
また、本実施の形態では、制御部３は、記憶部１０に記憶された画像データの画像の一部を、表示部８の表示領域に等倍で表示する制御を行う。そして、制御部３は、一部の画像をスクロールして画像全体を表示する制御を行う。
【００６８】
図１２（ａ）の場合にこの制御を行うと、図１３（ｂ）に示されるように、画像データの左右の両端が、表示部８の表示領域によってカットされるように表示される。そして、カット部分を、スクロールして表示することにより、画像全体を表示する。
【００６９】
以上のように、本実施の形態に係る携帯電話機は、画像データの画像全体を表示部８に表示することができる。
【００７０】
＜実施の形態２＞
本実施の形態に係る携帯電話機は、実施の形態１の構成に、記憶部１０に記憶された画像データを外部に与えるインターフェースをさらに備える。本実施の形態では、インターフェースは、無線部２、および、図示しないメモリインターフェースが該当する。以下、本実施の形態に係る携帯電話機の構成のうち、実施の形態１と同一の構成については、同一の符号を付すものとし、新たに説明しない構成については、実施の形態１と同じであるものとする。
【００７１】
実施の形態１で説明したように、記憶部１０に記憶された画像データの方向は、図８の方向となる。本実施の形態では、無線部２は、制御部３の制御により、記憶部１０に記憶された画像データを、他の携帯電話機に与える。このようにして、無線部２から与えられた画像データを、他の携帯電話機で表示した場合には、図１１（ａ）もしくは図１２（ａ）の状態で表示される。
【００７２】
また、本実施の形態では、図示しないメモリインターフェースは、制御部３と外部メモリ１２との間に設けられる。このメモリインターフェースは、制御部３の制御により、記憶部１０に記憶された画像データを、外部メモリ１２に与える。このようにして、メモリインターフェースから与えられた画像データを、外部メモリ１２を介してパーソナルコンピュータに与え、パーソナルコンピュータで表示した場合には、図８の方向で表示される。
【００７３】
以上のような動作を行う本実施の形態に係る携帯電話機によれば、使用者が、外部、例えば、他の携帯電話機およびパーソナルコンピュータにおいて画像編集アプリケーションなどを用いて画像データを回転させる処理を行わなくても、使用者に見やすい方向に画像データを表示することができる。
【００７４】
＜実施の形態３＞
実施の形態１では、カメラ７で撮影された画像データを、表示部８に画像データを表示するときに回転する処理を行った。本実施の形態では、カメラ７で撮影された画像データ以外の画像データ、例えば、待ち受け画面、着信画面、メモリダイヤルの画像データに対しても、使用者に見やすい方向に表示することを目的とする。
【００７５】
本実施の形態では、記憶部１０は、表示部８に表示すべき画像データが記憶されている。そして、制御部３は、表示部８で画像データを表示するときに加速度センサ１１で検出された天地方向と、携帯電話機本体の上下方向との回転角度に応じて、記憶部１０に記憶された画像データを回転する処理を施す。そして、制御部３は、その処理後の画像データを表示部８で表示する制御を行う。
【００７６】
以上の構成からなる本実施の形態に係る携帯電話機によれば、実施の形態１と同様の動作を行うことにより、携帯電話機をどの方向に傾けていたとしても、記憶部１０に記憶された画像データ、例えば、待ち受け画面、着信画面、メモリダイヤルの画像データを、使用者に見やすい方向に常に表示することができる。
【図面の簡単な説明】
【００７７】
【図１】実施の形態１に係る携帯電話機の構成を示すブロック図である。
【図２】実施の形態１に係る携帯電話機の動作を示す図である。
【図３】従来の携帯電話機の動作を示す図である。
【図４】実施の形態１に係る携帯電話機の動作を示す図である。
【図５】実施の形態１に係る携帯電話機の動作を示すフローチャートである。
【図６】実施の形態１に係る携帯電話機の動作を示す図である。
【図７】実施の形態１に係る携帯電話機の動作を示す図である。
【図８】実施の形態１に係る携帯電話機の動作を示す図である。
【図９】実施の形態１に係る携帯電話機の動作を示す図である。
【図１０】実施の形態１に係る携帯電話機の動作を示すフローチャートである。
【図１１】実施の形態１に係る携帯電話機の動作を示す図である。
【図１２】実施の形態１に係る携帯電話機の動作を示す図である。
【図１３】実施の形態１に係る携帯電話機の動作を示す図である。
【符号の説明】
【００７８】
１  通信回線、２  無線部、３  制御部、４  レシーバ、５  マイク、６  操作部、７  カメラ、８  表示部、９  揮発メモリ、１０  記憶部、１１  加速度センサ、１２  外部メモリ。
【図１】
2008304966.tif 000003
【図２】
2008304966.tif 000004
【図３】
2008304966.tif 000005
【図４】
2008304966.tif 000006
【図５】
2008304966.tif 000007
【図６】
2008304966.tif 000008
【図７】
2008304966.tif 000009
【図８】
2008304966.tif 000010
【図９】
2008304966.tif 000011
【図１０】
2008304966.tif 000012
【図１１】
2008304966.tif 000013
【図１２】
2008304966.tif 000014
【図１３】
2008304966.tif 000015